(57)【特許請求の範囲】
【請求項１】
第１の操作表示面及び第２の操作表示面を有する第１の面と、
前記第１の操作表示面及び第２の操作表示面とは反対側の第２の面と、
前記第２の面の一端側に、前記一端側の端辺と略平行に形成された段部と、
を有する筐体を備え、
前記段部に隣接する前記一端側における前記筐体の厚み方向の長さは、前記段部に隣接する他端側における前記筐体の厚み方向の長さよりも長く、
前記筐体の前記一端側に、決済アプリケーション及びその他の業務アプリケーションを実行する非セキュア領域が形成され、
前記筐体の前記他端側に、決済処理に関するサービス享受者の認証情報の照合を実行するセキュア領域が形成され、
前記第１の操作表示面には、前記決済処理に関する商品情報、決済方法、支払金額、支払回数等の情報が入力かつ表示され、
前記第２の操作表示面には、前記認証情報が入力され、
前記セキュア領域は、前記第２の操作表示面の前記認証情報が入力される領域を有する、
可搬型決済端末装置。
【請求項２】
請求項１記載の可搬型決済端末装置であって、
前記非セキュア領域に、撮像部が配置された、可搬型決済端末装置。
【請求項３】
請求項１または２記載の可搬型決済端末装置であって、
前記非セキュア領域に、磁気カードのカードスロットが配置された、可搬型決済端末装置。
【請求項４】
請求項１ないし３のいずれか１項に記載の可搬型決済端末装置であって、
前記セキュア領域に、認証情報の入力を検出する入力検出部が配置された、可搬型決済端末装置。
【請求項５】
請求項１〜４のいずれか１項に記載の可搬型決済端末装置であって、
前記操作表示面は、前記第１の面において、前記一端側の端辺から所定距離以上離間されて配置された、可搬型決済端末装置。
【請求項６】
操作表示面を有する第１の面と、
前記操作表示面とは反対側の第２の面と、
前記第２の面の一端側に、前記一端側の端辺と略平行に形成された段部と、を有する筐体を備え、
前記段部に隣接する前記一端側における前記筐体の厚み方向の長さは、前記段部に隣接する他端側における前記筐体の厚み方向の長さよりも長く、
前記筐体の前記一端側に、耐タンパ性を有しない非セキュア領域が形成され、
前記筐体の前記他端側に、耐タンパ性を有するセキュア領域が形成され、前記筐体は、前記第２の面において、前記段部の延在方向の両端に接続され、前記一端側の端辺から離れる程、前記筐体の厚み方向に沿う長さが短くなる壁部を備える、可搬型決済端末装置。
【発明の詳細な説明】
【技術分野】
【０００１】
本発明は、可搬型決済端末装置に関する。
【背景技術】
【０００２】
クレジットカード等による信用取引では、取引を行う人物と取引に使用されるクレジットカードとの所有者が同一人物であるかどうかを確認（本人確認）することにより、取引のセキュリティが確保される。本人確認は、例えば、取引処理時に出力される取引内容の印字された取引伝票に顧客がサイン（署名）し、このサインとクレジットカードに記載されているサインとを店員が目視することにより対比することで行われる。
【０００３】
近年、署名の入力と表示とが可能な取引処理用の決済端末装置は、例えばスマートフォン又はタブレット端末という形態で実現されている。この決済端末装置は、指又は専用ペン（例えばスタイラスペン）によるタッチ入力が可能なタッチ入力面と表示面とを備える。これにより、例えば携帯電話機よりもサービス提供者の操作性が向上する。
【０００４】
例えばスマートフォン又はタブレット端末の情報処理装置は、一般的に、ユーザの操作性の自由度が高く、指又は専用ペンを用いたタッチ或いは押下可能な範囲が広い。また、例えばスマートフォン又はタブレット端末の情報処理装置は、突起部分（例えば操作ボタン）が少なく、筐体の形状を変化させる可動部が無く、薄型である。このような装置は、ユーザにとって保持しにくく、ユーザが装置を保持し損なって落下させる可能性は、他の装置（例えば携帯電話機）よりも高くなっている。
【０００５】
これに対し、例えば特許文献１に示すペン入力を用いた携帯型情報機器が開示されている。特許文献１に示すペン入力を用いた携帯型情報機器は、筐体と、バッテリパックと、表示装置と、を含む構成である。筐体は、開口部が形成された表面を有する偏平な箱型の筐体である。バッテリパックは、筐体に取り外し可能に支持され機器の駆動用電源として機能する。表示装置は、情報を手書き入力する機能を兼ね備えた表示面を有し、表示面を開口部に露出させた状態で筐体の内容に収容される。
【０００６】
また、この携帯型情報機器の筐体には、オペレータの手元側に位置される第１の縁部と、第１の縁部とは筐体の奥行き方向に離間して配置された第２の縁部と、第１及び第２の各縁部との間において筐体の幅方向に離間して配置された第３及び第４の各縁部と、が設けられる。また、第２〜第４の各縁部に連なる筐体の表面の３箇所に、それぞれオペレータの指先を引っ掛けるための滑り止め部が形成されている。
【先行技術文献】
【特許文献】
【０００７】
【特許文献１】特開平１０−２４０４２０号公報
【発明の概要】
【発明が解決しようとする課題】
【０００８】
特許文献１の携帯型情報機器では、セキュリティを確保し、サービス提供者が携帯型情報機器を把持し易くし、サービス享受者が決済操作し易くすることは、困難であった。
【０００９】
本発明は、上記事情に鑑みてなされたものであり、セキュリティを確保でき、サービス
提供者が持ち易く、サービス享受者が決済操作し易い可搬型決済端末装置を提供する。
【課題を解決するための手段】
【００１０】
本発明の可搬型決済端末装置は、第１の操作表示面及び第２の操作表示面を有する第１の面と、前記第１の操作表示面及び第２の操作表示面とは反対側の第２の面と、前記第２の面の一端側に、前記一端側の端辺と略平行に形成された段部と、を有する筐体を備え、前記段部に隣接する前記一端側における前記筐体の厚み方向の長さは、前記段部に隣接する他端側における前記筐体の厚み方向の長さよりも長く、前記筐体の前記一端側に、決済アプリケーション及びその他の業務アプリケーションを実行する非セキュア領域が形成され、前記第１の操作表示面には、前記決済処理に関する商品情報、決済方法、支払金額、支払回数等の情報が入力かつ表示され、前記第２の操作表示面には、前記認証情報が入力され、前記セキュア領域は、前記第２の操作表示面の前記認証情報が入力される領域を有する。
【発明の効果】
【００１１】
本発明によれば、セキュリティを確保でき、サービス提供者が持ち易く、サービス享受者が決済操作し易くできる。
【図面の簡単な説明】
【００１２】
【図１】（Ａ）は第１の実施形態に係る決済端末装置の構成例を示す平面図、（Ｂ）は（Ａ）のＡ−Ａ断面図、（Ｃ）は（Ａ）の厚肉側ケース端面の上面図
【図２】第１の実施形態に係る決済端末装置の構成例を示す斜視図
【図３】（Ａ）は第１の実施形態に係る決済端末装置の構成例を示す背面図、（Ｂ）は（Ａ）の側面図
【図４】第１の実施形態に係る決済端末装置の構成例を示すブロック図
【図５】第１の実施形態に係るサービス提供者の操作状況の一例を、決済端末装置の背面側から見た動作説明図
【図６】第１の実施形態に係るサービス提供者の操作状況の一例を、決済端末装置の表面側から見た動作説明図
【図７】第１の実施形態に係るサービス提供者が決済端末装置をサービス享受者に差し出す場合の状況の一例を、背面側から見た動作説明図
【図８】第１の実施形態に係るサービス提供者が厚部を持ち、サービス享受者がＰＩＮ入力キーを操作する状況の一例を表す動作説明図
【図９】第２の実施形態に係る決済端末装置の構成例を示す斜視図
【図１０】（Ａ）は第２の実施形態に係る決済端末装置の構成例を示す背面図、（Ｂ）は（Ａ）の側面図
【発明を実施するための形態】
【００１３】
以下、本発明の実施形態について、図面を用いて説明する。
【００１４】
（本発明の一形態を得るに至った経緯）
決済端末装置は、秘匿すべき情報（例えば、クレジットカードの暗証番号（ＰＩＮ（Ｐｅｒｓｏｎａｌ  Ｉｄｅｎｔｉｆｉｃａｔｉｏｎ  Ｎｕｍｂｅｒ））を取り扱う。例えば、秘匿すべき情報を扱うセキュア部材と、特に秘匿しなくてもよい情報を扱うセキュア部材と、が混在して配置されると、セキュリティ領域の情報が非セキュリティ領域の中や近くを通過することにより、又は、セキュリティ領域の寸法が大きくなってセキュリティ領域と非セキュリティ領域とが接する面積が増大することにより、決済端末装置のセキュリティが低下する可能性が生ずる。
【００１５】
また、決済処理において、サービス提供者（例えば店員）が決済端末装置を操作する場合と、サービス享受者（例えば顧客）が決済端末装置を操作する場合とで、例えば、両者間の操作者入れ替わりに応じて決済端末装置の向きを変え、又は回転させることがある。決済処理を滞りなく実施するためには、サービス提供者が決済端末装置を安定して把持でき、サービス享受者が決済操作し易いことが好ましい。
【００１６】
以下、セキュリティを確保でき、サービス提供者が持ち易く、サービス享受者が決済操作し易い決済端末装置について説明する。
【００１７】
（第１の実施形態）
図１（Ａ）は、第１の実施形態に係る決済端末装置１１の一例を示す平面図である。図１（Ｂ）は、図１（Ａ）のＡ−Ａ断面図である。図１（Ｃ）は、図１（Ａ）に示した厚肉側ケース端面１３の上面図である。図２は、決済端末装置１１の一例を示す斜視図である。図３（Ａ）は、決済端末装置１１の一例を示す背面図である。図３（Ｂ）は、図３（Ａ）の側面図である。
【００１８】
決済端末装置１１は、例えば、ケース１５、第１の入力／表示部１７、及びＰＩＮ入力キー５７、を有する。ケース１５は、筐体の一例である。ＰＩＮ入力キー５７は、ＰＩＮを入力するためのキーである。
【００１９】
ケース１５は、例えば、表面１９（第１の面の一例）が平面で形成される。表面１９は、例えば矩形状を有する。ケース１５は、決済端末装置１１の厚み方向に二分割される表面ケース２１と背面ケース２３とによって組み合わされる。表面ケース２１と背面ケース２３とは、互いに結合され、例えば複数のねじ（図示略）によって固定される。
【００２０】
表面ケース２１は、表面１９の四方の周縁が、表面１９の上方から見て、背面２５（第２の面の一例）に向かって、下り勾配の表面側外周傾斜面２７で形成される。背面ケース２３は、背面２５の四方の周縁が、背面２５の下方から見て、上り勾配の背面側外周傾斜面２９で形成される。ケース１５は、表面ケース２１と背面ケース２３が組み合わされると、表面側外周傾斜面２７と背面側外周傾斜面２９との接続部が稜線となり、輪郭となる。
【００２１】
ケース１５は、長手方向一端側（図３の上側）が上側、長手方向他端側（図３の下側）が下側となる。ケース１５は、長手方向に直交する方向が幅方向となる。ケース１５（即ち、決済端末装置１１）は、下側が手前となる向きでサービス提供者３１に持たれる（図６参照）。ケース１５は、表面１９と背面２５とがほぼ平行となる。
【００２２】
背面２５の長手方向一端側は、段部３３を有し、ケース１５の厚み方向に突出した厚部３５となって形成される。従って、厚部３５以外の背面２５は、厚部３５よりも薄い薄部３７となる。厚部３５における筐体の厚み方向の長さは、薄部３７における筐体の厚み方向の長さよりも長い。本第１の実施形態の段部３３は、厚部３５の背面２５から薄部３７の背面２５に向かって下り勾配の段部傾斜面３９で形成されているが、例えば垂直面で形成されてもよい。段部３３は、ケース１５の幅方向に亘って形成され、つまり一端側の端辺と略平行に形成される。
【００２３】
厚部３５は、例えば、ケース１５の長手方向一端側（厚肉側ケース端面１３）から親指４１（図７参照）と人差し指４３の間にある指股４５で挟み込んで、包むような形で保持（把持）される（図７参照）。この場合、ケース１５では、親指４１が厚部３５の表面１９を押さえ、親指４１を除く４本の指の先端側（爪側）が段部３３に添えられる。背面２５は、掌に載せた状態で把持される。つまり、厚部３５は、表面１９を押さえる親指４１と、段部３３に接して背面２５を押さえる親指以外の少なくとも一本の指で、挟んで保持可能となる。従って、厚部３５のケース１５の長手方向に沿う方向の寸法Ｌは、親指４１と人差し指４３の間にある指股４５から、親指４１を除く４本の指の何れかの先端側（爪側）までの距離よりも短く設定される。これにより、ユーザは、段部３３に指先を添えた厚部３５の厚肉側ケース端面１３からの把持できる。もしくは、ケース１５の段部傾斜面３９が、人差し指の親指との対向側面に添えられて把持されてもよい。
【００２４】
表面ケース２１には、第１の入力／表示部１７が配置される第１開口部４７と、ＰＩＮ入力キー５７が配置される第２開口部４９と、が形成される。第１開口部４７と第２開口部４９とが形成された表面ケース２１の表面１９は、透明な表面パネル５１によって覆われる。第１の入力／表示部１７は、例えば感圧式の透明シート状の第１のタッチ入力検出部（タッチパネル）５３（図４参照）が第１の表示部（例えば液晶パネルや有機ＥＬディスプレイなど）５５に積層されて構成される。
【００２５】
ＰＩＮ入力キー５７は、ケース１５の長手方向他端側の表面１９に配置される。ＰＩＮ入力キー５７は、セキュア領域の少なくとも一部において印刷されている。ＰＩＮ入力キー５７は、第２のタッチ入力検出部５９（図４参照）に重ねて配置される。従って、ＰＩＮ入力キー５７が操作（例えば押下、接触）されることは、第２のタッチ入力検出部５９により検出される。従って、第２のタッチ入力検出部５９は、認証情報の入力を検出する入力検出部の一例である。ＰＩＮ入力キー５７は、第１の入力／表示部１７と同様に、タッチパネルが表示部に積層されて構成されてもよいし、物理的なキーボタンであってもよい。さらに、ＰＩＮ入力キー５７は、第２の表示部（図示しない）を第２のタッチ入力検出部５９に重ねてケース１５の内側に配置して、第２のタッチ入力検出部５９とともにタッチパネルディスプレイを構成し、ＰＩＮ入力キー５７のキー枠線やキートップ文字を第２の表示部に表示してもよい。
【００２６】
第１の入力／表示部１７は、厚部３５の少なくとも一部分に重なって表面１９に配置される。
【００２７】
決済端末装置１１では、ケース１５の長手方向一端側の厚肉側ケース端面１３と、第１の入力／表示部１７との間の表面１９に、親指４１を配置する指置面６３が形成されてもよい。なお、指置面６３は、特別に専用部位を形成するのではなく、第１の入力／表示部１７が配置されていない第１開口部４７の周縁の一部または枠部とすることができる。
【００２８】
ケース１５は、表面ケース２１と背面ケース２３とによって組み合わされた内部が、部品収容空間となる。決済端末装置１１は、耐タンパ性を有するセキュア領域６５と、耐タンパ性を有しない非セキュア領域６７と、を有する。
【００２９】
「耐タンパ性」とは、情報処理装置内部のソフトウェアやハードウェアの不正な解析、改変や、情報処理装置内部の情報の不正な奪取、改変、利用不能にする攻撃に対する耐性のことであり、耐タンパ性は、例えば、ソフトウェア又はハードウェアが備える内部構造や記憶しているデータの解析の困難さである。耐タンパ性を備えることで、例えば、サービス享受者（例えば顧客）の情報を保護し、取引を安全にできる。
【００３０】
セキュア領域６５は、ケース１５の長手方向他端側に配置される。非セキュア領域６７は、セキュア領域６５以外の領域となる。セキュア領域６５は、例えば、秘匿すべき情報を有するセキュア部材を収容する。セキュア部材は、例えば複数の部材を含む。セキュア部材は、ケース１５の長手方向他端側にＰＩＮ入力キー５７と重なって配置される。セキュア領域６５は、例えば、物理的な侵入を検知するタンパ検知部６９（図４参照）を備える。
【００３１】
セキュア部材は、例えば、第２のタッチ入力検出部５９、接触型ＩＣカードリーダ部７１、これらを制御する制御部としての機能を有する第２のＣＰＵ７３、タンパ検知部６９、及びプリント回路基板（図示略）を含む。
【００３２】
セキュア領域６５では、例えば、プログラム自体は暗号化されており、制御部が、検証されたプログラムについて実行時に必要な分を復号して実行するソフトウェアを格納してもよい。セキュア領域６５は、例えば、セキュア領域６５の閉塞が解除されると、秘密情報を消去若しくは所定の値で上書きして安全に書き潰す回路、又は動作を停止する回路を含んでもよい。
【００３３】
タンパ検知部６９は、例えば、セキュア領域６５に対する物理的な侵入（分解、破壊等）を検知する。タンパ検知部６９は、例えば、セキュア領域６５に対して物理的に侵入し、内部の情報を読み取りまたは改変しようとする試みがあった場合、この試みを検出し、対抗する上記した動作（例えば秘密情報を消去または上書きする）を実行させる。
【００３４】
非セキュア領域６７は、例えば、秘匿すべき情報を有しない非セキュア部材を収容する。非セキュア部材は、例えば、複数の部材を含み、主に厚部３５に収容される。非セキュア部材は、例えば、磁気カードリーダ部７５、バーコード読み取り用のアウトカメラ７７（撮像部の一例）を含む。アウトカメラ７７は、厚部３５の背面２５に露出する対物レンズ７９を有する。この他、非セキュア領域６７には、例えば、バッテリ８１、メイン基板８５、第１の入力／表示部１７、が含まれる。
【００３５】
厚部３５は、非セキュア領域６７に形成される。厚部３５には、例えば、アウトカメラ７７、磁気カードリーダ部７５、メイン基板８５の一部、第１の入力／表示部１７の一部が積層配置される。
【００３６】
ケース１５の長手方向一端側の厚肉側ケース端面１３には、磁気カードリーダ部７５のカードスロット８７が配置される。磁気カードリーダ部７５は、カードスロット８７の溝を挟み、一対の磁気ヘッド８９を備える。磁気ヘッド８９は、カードスロット８７の片側に配置されてもよい。
【００３７】
ケース１５の長手方向他端側のセキュア側ケース端面９１には、接触型ＩＣカードリーダ部７１のカード挿入部９３が配置される。
【００３８】
次に、決済端末装置１１のハードウェア構成例について説明する。
図４は、決済端末装置１１のハードウェア構成例を示すブロック図である。
【００３９】
決済端末装置１１は、非セキュア領域６７及びセキュア領域６５を備える。非セキュア領域６７は、図４に図示するその矩形の枠内から、後述のセキュア領域６５を除いた領域を指す。非セキュア領域６７には、第１のＣＰＵ９５（Ｃｅｎｔｒａｌ  Ｐｒｏｃｅｓｓｉｎｇ  Ｕｎｉｔ）、局所無線通信部９７、広域無線通信部９９、第１の入力／表示部１７、及び第１のタッチ入力検出部５３が設けられる。
【００４０】
また、非セキュア領域６７には、第１のフラッシュＲＯＭ１０１（Ｒｅａｄ  Ｏｎｌｙ  Ｍｅｍｏｒｙ）、第１のＲＡＭ１０３（Ｒａｎｄｏｍ  Ａｃｃｅｓｓ  Ｍｅｍｏｒｙ）、キー入力部１０５、磁気カードリーダ部７５、第１のＩＦ部１０７（Ｉｎｔｅｒｆａｃｅ）、電源部１０９、及びバッテリ８１が設けられる。
【００４１】
非セキュア領域６７では、第１のＣＰＵ９５に対して、各種の構成部が接続される。第１のＣＰＵ９５は、非セキュア領域６７における構成部の全体を統括する。第１のＣＰＵ９５は、例えば、第１のフラッシュＲＯＭ１０１に格納されたプログラムを実行することで、各種制御、処理、設定、判定等を行う。非セキュア領域６７の第１のＣＰＵ９５における実行環境は、セキュア領域の第２のＣＰＵ７３における実行環境と比べ、制限が少なくされており、多様なアプリケーションプログラムが実行でき、決済端末装置１１の高機能化や広範囲な用途への応用を容易にしている。
【００４２】
局所無線通信部９７は、局所無線通信アンテナ１１１と接続され、図示しない局所無線通信路を用いて、例えば無線ＬＡＮ通信する機能を有する。局所無線通信部９７は、無線ＬＡＮ通信以外の通信（例えばＢｌｕｅｔｏｏｔｈ（登録商標）通信）を行ってもよい。
【００４３】
広域無線通信部９９は、広域無線通信アンテナ１１３と接続され、図示しない広域無線通信路（例えばＷＡＮ（Ｗｉｄｅ  Ａｒｅａ  Ｎｅｔｗｏｒｋ））を介して通信する機能を有する。広域無線通信路における通信は、例えば、無線電話回線（Ｗ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）、ＣＤＭＡ（Ｃｏｄｅ  Ｄｉｖｉｓｉｏｎ  Ｍｕｌｔｉｐｌｅ  Ａｃｃｅｓｓ）、ＬＴＥ（Ｌｏｎｇ  Ｔｅｒｍ  Ｅｖｏｌｕｔｉｏｎ）などの携帯電話回線）を用いて行われてもよい。
【００４４】
第１の表示部５５は、第１の入力／表示部１７の表示を制御する機能を有する。第１のタッチ入力検出部５３は、第１の入力／表示部１７に対するタッチ入力を検出する機能を有する。
【００４５】
第１のフラッシュＲＯＭ１０１は、各種のデータを記憶する機能を有する。記憶されるデータは、業務アプリケーションプログラムやそれら業務に関わるデータでもよいし、決済端末装置１１（例えば非セキュア領域６７）を制御するためのプログラムでもよい。
【００４６】
第１のＲＡＭ１０３は、例えば、決済端末装置１１（例えば非セキュア領域６７における構成部）の動作に伴う演算処理の際に、演算処理の途中において発生する処理データを、一時的に記憶するために用いられるメモリである。
【００４７】
キー入力部１０５は、非セキュア領域６７に配置された入力キー（例えば、バーコードの読み取りを開始するためのスキャン・ボタンなど）からの入力を受け付ける機能を有する。磁気カードリーダ部７５は、図１（Ｂ）におけるカードスロット８７の内部に配置され、磁気カードの磁気ストライプを読み取る機能を有する。
【００４８】
電源部１０９は、バッテリ８１からの電源の供給を受けて、非セキュア領域６７（例えば、第１のＣＰＵ９５）へ電源を供給する。第１のＣＰＵ９５は、電源部１０９を制御することにより、非セキュア領域６７に配された一部または全体の回路に対して、電源供給及び電源供給の停止が可能である。
【００４９】
非セキュア領域６７及びセキュア領域６５は、第１のＩＦ部１０７及びセキュア領域６５に設けられた第２のＩＦ部１１７を介して、互いに接続され、各種のデータやコマンドの受け渡しが行われる。第１のＩＦ部１０７と第２のＩＦ部１１７とは、互いに結合可能である。
【００５０】
セキュア領域６５には、第２のＩＦ部１１７、第２のＣＰＵ７３、タンパ検知部６９、接触型ＩＣカードリーダ部７１、第２のタッチ入力検出部５９、第２のフラッシュＲＯＭ１１９、第２のＲＡＭ１２１を設けられる。
【００５１】
セキュア領域６５では、第２のＣＰＵ７３に対して、各種の構成部が接続される。第２のＣＰＵ７３は、セキュア領域６５における構成部の全体を統括する。第２のＣＰＵ７３は、例えば、第２のフラッシュＲＯＭ１１９に格納されたプログラムを実行することで、各種制御、処理（例えば、ＩＣカードの読み取り、ＰＩＮの入力受付／照合）を行う。
【００５２】
タンパ検知部６９は、セキュア領域６５を監視し、セキュア領域６５における例えば分解、破壊、または開封を検知する。つまり、タンパ検知部６９は、セキュア領域６５における異常の有無を検知する。タンパ検知部６９により上記事象が検知された場合、例えば、決済処理を停止させてもよいし、第１の入力／表示部１７等によりセキュア領域６５において異常がある旨を報知してもよい。
【００５３】
接触型ＩＣカードリーダ部７１は、カード挿入部９３を有する。接触型ＩＣカードリーダ部７１に内蔵される電極（図示せず）は、カード挿入部９３に接触式ＩＣカードが挿入されると、接触式ＩＣカードの表面に設けられた電極と電気的に接続される。
【００５４】
第２のタッチ入力検出部５９は、ＰＩＮ入力キー５７に対するタッチ入力を検出する機能を有する。例えば、第２のタッチ入力検出部５９は、ＰＩＮを入力するための物理的なキーまたはソフトキーを含むピンパッド（ＰＩＮＰＡＤ）への入力を検出してもよい。第２のタッチ入力検出部５９は、例えば、指またはスタイラスペンを用いて、署名の入力を検出してもよい。第２のタッチ入力検出部５９は、例えば、指またはスタイラスペンを用いて、ＰＩＮの手書き入力を検出してもよい。
【００５５】
第２のフラッシュＲＯＭ１１９は、各種のデータを記憶する機能を有する。記憶されるデータは、決済端末装置１１（例えばセキュア領域６５における構成部）を制御するためのプログラム、決済において第２のタッチ入力検出部５９より入力されたＰＩＮの照合を行うためのプログラムなどである。
【００５６】
第２のＲＡＭ１２１は、例えば、決済端末装置１１（例えばセキュア領域６５）の動作に伴う演算処理等の際に、演算処理の途中において発生する処理データを、一時的に記憶するために用いられるメモリである。
【００５７】
このように、決済端末装置１１は、非セキュア領域６７とセキュア領域６５とを含む。決済に用いられるカードの認証情報の入力は、セキュア領域６５におけるＰＩＮ入力キー５７に対して行われる。従って、決済端末装置１１は、安全性を確保した状態で、決済に用いられるカードの認証情報の入力が可能であり、「耐タンパ性」も確保できる。「耐タンパ性」を必要とする「セキュア」な部分は、セキュア領域６５に局所化され、小型化されている（例えば図１（Ｂ）参照）。
【００５８】
一方、非セキュア領域６７には、例えば、民生用に多数流通している情報端末（例えばスマートフォン、タブレット端末）やその一部が、プラットフォームとして採用されてもよい。
【００５９】
非セキュア領域６７において汎用のプラットフォームを採用することで、決済用のアプリケーション・ソフトウェア（決済アプリケーション）、及びその他の業務に用いられるアプリケーション・ソフトウェア（業務アプリケーション）の開発資産の再利用や流用は、容易となる。また、決済アプリケーション及びその他の業務アプリケーションは、例えば高い演算処理能力を備える非セキュア領域６７における第１のＣＰＵ９５により処理されることで、ストレスなく柔軟に動作する。また、決済のスキームが多様化された決済処理や多様な業務アプリケーションが容易に利用できる。
【００６０】
次に、決済端末装置１１の作用の一例について説明する。
【００６１】
図５は、サービス提供者３１の操作状況を決済端末装置１１の背面側から見た動作説明図である。図６は、サービス提供者３１の操作状況を決済端末装置１１の表面側から見た動作説明図である。図７は、サービス提供者３１が決済端末装置１１をサービス享受者３２（図８参照）に差し出す際の状況を背面側から見た動作説明図である。図８は、サービス提供者３１が厚部３５を持ち、サービス享受者３２がＰＩＮ入力キー５７を操作する状況を表す動作説明図である。
【００６２】
決済端末装置１１は、携帯性を備える。サービス提供者３１は、例えば、決済処理において、認証情報（例えばＰＩＮ、署名）を入力する段階となるまで、図５，図６に示すように、ＰＩＮ入力キー５７が手前側となる向きでケース１５を持つ。また、サービス提供者３１は、例えば、第１の入力／表示部１７及び第１のタッチ入力検出部５３を用いて、商品情報、決済方法、支払金額、支払回数等を入力する。この段階では、例えば、磁気カードを磁気カードリーダ部７５に通し、又は、接触式カードを接触型ＩＣカードリーダ部７１に挿入する。カードの読み取りおよび商品情報、決済方法、支払金額、支払回数等の入力が終了すると、認証情報を入力するタイミングとなる。
【００６３】
認証情報を入力する段階では、サービス提供者３１は、図７に示すように、例えば、厚部３５を持ってケース１５を所定角度（例えば１８０°）回転してサービス享受者３２側に向ける。すると、決済端末装置１１は、図８に示すように、ＰＩＮ入力キー５７が、サービス享受者３２側から見て手前側になる。つまり、入力／表示部１７を挟んで、厚部３５がサービス享受者３２から遠い側に配置され、セキュア領域６５がサービス享受者３２に近い側に配置される。厚部３５に実装される非セキュア領域６７と薄部３７に実装されるセキュア領域６５とが、ケース１５において互いに反対側に配置される。ここで、サービス享受者３２側から見て手前側とは、第１の入力／表示部１７かつまたはＰＩＮ入力キー５７に表示される文字が正立する向きにて、ケース１５におけるそれら文字の下方側である。
【００６４】
従って、サービス享受者３２はＰＩＮ番号を入力する決済操作がし易くなり、サービス提供者３１は、厚部３５によって決済端末装置１１が持ち易くなる（図７参照）。また、決済端末装置１１は、盗難時のサービス享受者３２側からの引っ張り力Ｆに対しても、厚部３５の段部３３が設けられていることで、確実にホールド（把持）できる。
【００６５】
厚部３５には、通常の撮影の他にバーコードの読み取りを行うためのアウトカメラ７７、磁気カードリーダ部７５などの、他の部材と比べて厚みの大きい部材が収容される。そのため、厚部３５の厚みは他の部分よりも大きく、ホールド性の向上に寄与する。
【００６６】
セキュア領域６５のセキュア部材（第２のＣＰＵ７３、接触型ＩＣカードリーダ部、第２のタッチ入力検出部５９、タンパ検知部６９など）は、入力／表示部１７を挟んで厚部３５とは反対側に、必要最小スペースで集中配置される。このため、セキュア領域６５の耐タンパ性の確保が容易となり、セキュリティを確保できる。加えて、セキュア領域６５のセキュア部材には、セキュア領域６５を薄型化する上での障害となる部材が含まれていないので、セキュア領域６５は薄型化も可能である。従って、厚みの大きい非セキュア部材と薄型化が可能なセキュア部材とを適材適所に配置することによって形成された形状が、機能性（例えば、ホールド性、決済のし易さ、耐タンパ性確保の容易性）を発現できる。
【００６７】
決済端末装置１１では、厚部３５の背面２５に、アウトカメラ７７の対物レンズ７９が配置される。アウトカメラ７７では、例えば、対物レンズ７９に対し、撮像素子及び基板が、対物レンズ７９の光軸に沿う方向に並んで設けられる。
【００６８】
アウトカメラ７７は、例えば商品に付されたバーコードを撮像し、第１のＣＰＵ９５により、撮像画像から商品情報等が取得される。なお、アウトカメラ７７に代えて、サービス提供者３１またはサービス享受者３２を撮影するインカメラであってもよい。この場合、インカメラの対物レンズは、表面１９側に設け、背面２５の対物レンズ７９は設けない。
【００６９】
決済端末装置１１では、接触型ＩＣカードリーダ部７１がセキュア領域６５に配置される。磁気カードリーダ部７５のカードスロット８７は、厚部３５に配置される。従って、磁気カードリーダ部７５のカードスロット８７は、厚部３５の厚肉化に寄与し、セキュア領域６５の薄肉化にも寄与できる。
【００７０】
決済端末装置１１では、厚部３５を持って、ＰＩＮ入力キー５７をサービス享受者３２側に向けた場合、厚部３５を持つ親指４１が指置面６３に配置される。親指４１が指置面６３に収まる場合、親指４１は、第１の入力／表示部１７、及び第１の入力／表示部１７に積層される第１のタッチ入力検出部５３にかからない。つまり、親指４１が第１の入力／表示部１７をタッチしない。これにより、不用意に第１の入力／表示部１７に触れて誤操作することを抑制できる。なお、第１の入力／表示部１７の面は、操作表示面の一例である。
【００７１】
このように、決済端末装置１１によれば、セキュリティを確保でき、サービス提供者３１が持ち易くでき、サービス享受者３２が決済操作し易くできる。
【００７２】
（第２の実施形態）
図９は、第２の実施形態に係る決済端末装置１２５の一例を示す斜視図である。図１０（Ａ）は、決済端末装置１２５の一例を示す背面図である。図１０（Ｂ）は、図１０（Ａ）の側面図である。なお、図９及び図１０（Ａ），（Ｂ）では、図１〜図８に示した部材と同一の部材には同一の符号を付し、重複する説明を省略又は簡略化する。
【００７３】
決済端末装置１２５は、一対の壁部１２７を備える。壁部１２７は、段部３３の延在方向の両端に接続して薄部３７の背面２５に形成され、厚部３５から離れるに従って徐々に低くなり、薄部３７の背面２５と同一平面となる。壁部１２７が低くなるとは、筐体の厚み方向に沿う長さが短くなることに相当する。
【００７４】
サービス提供者３１は、例えば、一対の壁部１２７のうち一方の壁部１２７を、親指４１と人差し指４３とで、又は指股４５で、厚肉側ケース端面１３から挟み込むことにより、決済端末装置１２５を把持してもよい。
【００７５】
サービス提供者３１は、例えば、親指４１を除く４本の指の少なくとも先端側（爪側）を、背面２５における段部３３と壁部１２７とにより囲まれたコ字状領域に添え、背面２５を掌に載せた状態で、決済端末装置１２５を装置側壁部１２９から把持してもよい。この場合、厚肉側ケース端面１３を把持する縦持ち（図７参照）に対し、装置側壁部１２９を把持する横持ち（図示略）となる。
【００７６】
縦持ちによれば、例えば、決済端末装置１２５がサービス提供者３１の掌から滑落しそうになっても、一方又は両方の壁部１２７あるいは段部３３が、サービス提供者３１の人差し指４３又は小指の側面と接触して、決済端末装置１２５の滑落を抑止できる。
【００７７】
横持ちでは、サービス提供者３１は、指股４５で、壁部１２７の一方を装置側壁部１２９から挟み込む。この場合、サービス提供者３１は、決済端末装置１２５の側面と表面１９との角部付近に、親指４１の第一関節と第二関節との間にある部分を置く。また、サービス提供者３１は、背面２５において、段部３３と壁部１２７とにより囲まれた領域に、親指４１を除く４本の指を置く。これにより、決済端末装置１２５を把持する。この把持状態では、一方の壁部１２７がサービス提供者３１の親指４１と人差し指４３とに、又は指股４５に挟みこまれるので、決済端末装置１２５の把持状態が安定し、滑落の発生を低減できる。
【００７８】
また、決済端末装置１２５では、サービス提供者３１が、厚部３５を持ってケース１５を回転させてサービス享受者３２側に向ける場合、壁部１２７が有効に作用する。サービス提供者３１は、認証情報の入力前の段階では、図５に示すように、例えば左手で薄部３７を持つとする。この場合、例えば、表面１９は親指４１、背面２５はその他の指で押さえられる。この場合、例えば人差し指４３は、段部３３に添えられる。
【００７９】
ケース１５を回転してサービス享受者３２側に向ける場合、サービス提供者３１は、例えば、ケース１５を持つ図５に示す左手から、持ち手を変えて、図７に示す右手で厚部３５を持つ。例えば、サービス提供者３１は、右手の親指４１で厚部３５の表面１９を押さえ、親指以外の少なくとも一本の指を段部３３に添えてケース１５を持つ。この場合、段部３３の延在方向の両端に、壁部１２７が存在することで、段部３３に添えられる指が、横滑りして段部３３から外れることを抑制できる。つまり、ホールドが解除され難くできる。従って、ケース１５を回転してサービス享受者３２側に向ける場合の決済端末装置１２５の落下を抑制できる。
【００８０】
このように、決済端末装置１２５によれば、セキュリティを確保でき、サービス提供者３１が持ち易くでき、サービス享受者３２が決済操作し易くできる。
【００８１】
なお、本発明は、上記実施形態の構成に限られるものではなく、特許請求の範囲で示した機能、または本実施形態の構成が持つ機能が達成できる構成であればどのようなものであっても適用可能である。
【００８２】
例えば、上記実施形態では、認証情報としてＰＩＮが入力されることを例示したが、他の認証情報（例えば署名、ＰＩＮ手書き情報、指紋情報、その他の認証情報）が入力されてもよい。
【００８３】
（本発明の一態様の概要）
本発明の一態様の決済端末装置は、操作表示面を有する第１の面と、前記操作表示面とは反対側の第２の面と、前記第２の面の一端側に、前記一端側の端辺と略平行に形成された段部と、を有する筐体を備え、前記段部に隣接する前記一端側における前記筐体の厚み方向の長さは、前記段部に隣接する他端側における前記筐体の厚み方向の長さよりも長く、前記筐体の前記一端側に、耐タンパ性を有しない非セキュア領域が形成され、前記筐体の前記他端側に、耐タンパ性を有するセキュア領域が形成される。
【００８４】
この構成によれば、セキュア部材が収納される領域（セキュア領域）と、非セキュア部材が収容される領域（非セキュア領域）と、が分離されており、セキュア部材を集中配置できるので、セキュリティを確保できる。また、段部を境に、一端側が厚部となり、他端側が薄部となる。サービス提供者は、例えば、認証情報の入力前までは、段部と薄部とを支持して決済端末装置を把持し、認証情報の入力時には、厚部を支持して決済端末装置を把持できる。従って、サービス提供者は決済端末装置を容易に把持できる。また、認証情報の入力時に、サービス提供者が厚部を支持した場合、サービス享受者側にはセキュア領域が位置するので、決済操作（例えば認証情報の入力操作）を容易に実施できる。
【００８５】
また、本発明の一態様の決済端末装置は、前記非セキュア領域に、撮像部が配置される。
【００８６】
この構成によれば、撮像部には所定の厚みが必要であるので、非セキュア領域にはセキュア領域と比較すると大きな収容スペースが確保される。従って、筐体の一端側の厚み方向の厚さを長くでき、決済端末装置のホールド性を向上できる。また、セキュア領域の薄型化も実現できる。
【００８７】
また、本発明の一態様の決済端末装置は、前記非セキュア領域に、磁気カードのカードスロットが配置される。
【００８８】
この構成によれば、磁気カードリーダ部の磁気ヘッドには所定の厚みが必要であるので、非セキュア領域にはセキュア領域と比較すると大きな収容スペースが確保される。従って、筐体の一端側の厚み方向の厚さを長くでき、決済端末装置のホールド性を向上できる。また、セキュア領域の薄型化も実現できる。すなわち、厚みの大きい非セキュア部材と薄型化が可能なセキュア部材とを適材適所に配置することによって形成された形状が、機能性（例えば、ホールド性、決済のし易さ、耐タンパ性確保の容易性）を発現できる。
【００８９】
また、本発明の一態様の決済端末装置は、前記セキュア領域に、認証情報の入力を検出する入力検出部が配置される。
【００９０】
この構成によれば、入力検出部のセキュリティが確保される。また、セキュア領域は、サービス享受者による認証情報の入力時には、サービス享受者の手前側に位置するので、入力操作をしている入力検知部がサービス享受者以外の目に触れづらい安全な入力を可能にし、かつ認証情報の入力操作の操作性を向上できる。
【００９１】
また、本発明の一態様の決済端末装置は、前記操作表示面が、前記第１の面において、前記一端側の端辺から所定距離以上離間されて配置される。
【００９２】
この構成によれば、サービス提供者が、サービス享受者による認証情報の入力時に決済端末装置を把持する場合、筐体の一端側を把持するが、この場合に親指が操作表示面に触れることを抑制できる。従って、操作表示面のタッチによる誤操作を抑制できる。
【００９３】
本発明の一態様の決済端末装置は、前記筐体が、前記第２の面において、前記段部の延在方向の両端に接続され、前記一端側の端辺から離れる程、前記筐体の厚み方向に沿う長さが短くなる壁部を備える。
【００９４】
この構成によれば、段部の代わりに、又は段部とともに壁部を支持することで、決済端末装置を把持できる。従って、決済端末装置を容易に把持でき、決済端末装置を落下させる可能性を低減できる。例えば、段部に添えられる指が横滑りして段部から外れ、ホールドが解除されることを抑制できる。
【産業上の利用可能性】
【００９５】
本発明は、セキュリティを確保でき、サービス提供者が持ち易く、サービス享受者が決済操作し易い決済端末装置等に有用である。
【符号の説明】
【００９６】
１１  決済端末装置
１３  厚肉側ケース端面
１５  ケース
１７  第１の入力／表示部
１９  表面
２１  表面ケース
２３  背面ケース
２５  背面
２７  表面側外周傾斜面
２９  背面側外周傾斜面
３１  サービス提供者
３２  サービス享受者
３３  段部
３５  厚部
３７  薄部
３９  段部傾斜面
４１  親指
４３  人差し指
４５  指股
５３  第１のタッチ入力検出部
５５  第１の表示部
５７  ＰＩＮ入力キー
５９  第２のタッチ入力検出部
６３  指置面
６５  セキュア領域
６７  非セキュア領域
６９  タンパ検知部
７１  接触型ＩＣカードリーダ部
７３  第２のＣＰＵ
７５  磁気カードリーダ部
７７  アウトカメラ
７９  対物レンズ
８１  バッテリ
８５  メイン基板
８７  カードスロット
８９  磁気ヘッド
９１  セキュア側ケース端面
９３  カード挿入部
９５  第１のＣＰＵ
９７  局所無線通信部
９９  広域無線通信部
１０１  第１のフラッシュＲＯＭ
１０３  第１のＲＡＭ
１０５  キー入力部
１０７  第１のＩＦ
１０９  電源部
１１１  局所無線通信アンテナ
１１３  広域無線通信アンテナ
１１７  第２のＩＦ
１１９  第２のフラッシュＲＯＭ
１２１  第２のＲＡＭ
１２５  決済端末装置
１２７  壁部
１２９  装置側壁部
【図１】
0005861069.tif 000002
【図２】
0005861069.tif 000003
【図３】
0005861069.tif 000004
【図４】
0005861069.tif 000005
【図５】
0005861069.tif 000006
【図６】
0005861069.tif 000007
【図７】
0005861069.tif 000008
【図８】
0005861069.tif 000009
【図９】
0005861069.tif 000010
【図１０】
0005861069.tif 000011